(57)【特許請求の範囲】
【請求項１】
脱穀処理を行う脱穀部（２２）を備え、脱穀部（２２）の外側側面の前端側に梯子（３９）を配置し、該梯子（３９）を介して脱穀部（２２）に登り降りする時に把持する手摺を設け、脱穀部（２２）の上部をカバーする天板（３３）を上下回動可能に支持し、天板（３３）の上下回動によって脱穀部（２２）の上方側が開閉される汎用コンバインであって、上記梯子（３９）の登り降り時に把持可能な天板開閉用取っ手（４１）を、天板（３３）の前端部に設け、該天板開閉用取っ手（４１）を前記手摺と兼用し、前記天板開閉用取っ手（４１）を、上記天板（３３）の上面からさらに上方に位置し且つ該天板（３３）の左右幅方向に向けた姿勢で設けた汎用コンバイン。
【請求項２】
脱穀部（２２）に向かって穀稈を搬送するフィーダ（７）を脱穀部（２２）の前方に配置し、側面視梯子（３９）の後端が脱穀部（２２）の前端に近接するように、フィーダ（７）の外側側方且つ脱穀部（２２）の前方に形成されたスペース（Ｓ）に梯子（３９）を配置し、天板（３３）の前部を前方に向かって下降傾斜する傾斜面（３３ａ）によって構成し、側面視該傾斜面（３３ａ）に沿って天板開閉用取っ手（４１）が傾斜するように、該天板開閉用取っ手（４１）を傾斜面（３３ａ）に設けた請求項１記載の汎用コンバイン。
【発明の詳細な説明】
【技術分野】
【０００１】
この発明は、脱穀部のメンテナンスが容易な汎用コンバインに関する。
【背景技術】
【０００２】
脱穀処理を行う脱穀部を備え、脱穀部の上部をカバーする天板を上下回動可能に支持し、天板の上下回動によって脱穀部の上方側が開閉され、このようにして上方側を開放することにより、脱穀部内のメンテナンスを行う汎用コンバインが従来公知であるが、脱穀部の上方側の高い位置からメンテナンスを行う必要があるため、作業者は、脱穀部を登り降りする必要があるとともに、高位置にある天板を旨く開閉させる必要がある。
【０００３】
このような事情から、梯子と、該梯子を介して脱穀部に登り降りする時に把持する手摺とを、脱穀部の周囲に設けた特許文献１に示す汎用コンバインが公知になっている。
【先行技術文献】
【特許文献】
【０００４】
【特許文献１】特開平８−１８７０２８号公報（第２図）
【発明の概要】
【発明が解決しようとする課題】
【０００５】
上記特許文献に示された梯子及び手摺の他に、天板をスムーズに開閉させるために取っ手を設けると、脱穀部の上方側からのメンテナンスをより効率的に行うことができる反面、これらの部材を全て設けると、部品点数が増加して、構成が複雑化し、製造コストが高くなる。
本発明は、天板を開いた状態で、脱穀部の上方側からのメンテナンスを行う汎用コンバインにおいて、上記メンテナンス作業の効率化と、構成の簡略化とを両立させた汎用コンバインを提供することを課題としている。
【課題を解決するための手段】
【０００６】
上記課題を解決するため、第１に、脱穀処理を行う脱穀部２２を備え、脱穀部２２の外側側面の前端側に梯子３９を配置し、該梯子３９を介して脱穀部２２に登り降りする時に把持する手摺を設け、脱穀部２２の上部をカバーする天板３３を上下回動可能に支持し、天板３３の上下回動によって脱穀部２２の上方側が開閉される汎用コンバインであって、上記梯子３９の登り降り時に把持可能な天板開閉用取っ手４１を、天板３３の前端部に設け、該天板開閉用取っ手４１を前記手摺と兼用し、前記天板開閉用取っ手４１を、上記天板３３の上面からさらに上方に位置し且つ該天板３３の左右幅方向に向けた姿勢で設けたことを特徴としている。
【０００７】
第２に、脱穀部２２に向かって穀稈を搬送するフィーダ７を脱穀部２２の前方に配置し、側面視梯子３９の後端が脱穀部２２の前端に近接するように、フィーダ７の外側側方且つ脱穀部２２の前方に形成されたスペースＳに梯子３９を配置し、天板３３の前部を前方に向かって下降傾斜する傾斜面３３ａによって構成し、側面視該傾斜面３３ａに沿って天板開閉用取っ手４１が傾斜するように、該天板開閉用取っ手４１を傾斜面３３ａに設けたことを特徴としている。
【発明の効果】
【０００８】
天板開閉用取っ手と、梯子を介した脱穀部の登り降り時に把持する手摺は、天板を開いた状態で脱穀部のメンテナンス作業を効率的に行ううえで、重要な部材であり、この天板開閉用取っ手が手摺と兼用され、それぞれを各別に設ける必要がないため、構成の簡略化を、上記メンテナンス作業の効率化と併せて図ることが可能になる。
【０００９】
また、脱穀部に向かって穀稈を搬送するフィーダを脱穀部の前方に配置し、側面視梯子の後端が脱穀部の前端に近接するように、フィーダの外側側方且つ脱穀部の前方に形成されたスペースに梯子を配置し、天板の前部を前方に向かって下降傾斜する傾斜面によって構成し、側面視該傾斜面に沿って天板開閉用取っ手が傾斜するように、該天板開閉用取っ手を傾斜面に設ければ、梯子を脱穀部に近接させて設け、これによって省スペース化した場合でも、手摺と兼用される天板開閉用取っ手が、適度に梯子から離れた位置に配置されるため、梯子の登り降り時に天板開閉用取っ手を把持し易くなる他、天板の曲げ部分に取っ手を設けたため、天板の変形も防止される。
【図面の簡単な説明】
【００１０】
【図１】本発明を適用した汎用コンバインの側面図である。
【図２】本発明を適用した汎用コンバインの平面図である。
【図３】脱穀部の上部側をメンテナンスする際の状態を示す汎用コンバインの要部正面図である。
【発明を実施するための形態】
【００１１】
図１及び図２は、本発明を適用した汎用コンバインの側面図及び平面図である。図示する汎用コンバインは、稲や麦や豆類等の作物の刈取作業を行うものであり、該汎用コンバインは、左右一対のクローラ式走行装置１Ｌ，１Ｒを有する走行機体２と、走行機体２の前方に昇降駆動可能に連結された刈取部３と、左右方向に延びる筒状のリール４と、該リール４を昇降可能及び前後動可能に刈取部３側に支持する可動機構６とを備えている。
【００１２】
上記刈取部３は、後側半部のフィーダ７及び前側半部の刈取フレーム８を一体的で備え、刈取フレーム８の左右の側壁からは前方に向かって分草体９が突出され、刈取フレーム８の左右の側壁間における下部且つ後部には、左右方向に延びる円柱状の掻込オーガ１１が軸回りに回転駆動可能に支持され、該掻込オーガ１１の前方には、左右方向のレシプロ式の刈刃１２が設置されている。ちなみに、平面視刈取フレーム８の左右の側壁間に前記リール４が位置している。
【００１３】
フィーダ７は、刈取った作物の穀稈を後方搬送する前後方向のフィーダコンベア１３をフィーダケース７ａ内に備え、全体が後述する走行機体２側の操縦部１４の側方に位置しており、このフィーダ７の後端部が走行機体２の前部に支持されている他、刈取フレーム８は操縦部１４の前側からフィーダ７の前側に至る左右範囲に形成されている。
【００１４】
上記リール４は、周囲及び左右両側方が内外で連通し且つ内部が空洞となる左右方向の角柱状に成形され、このリール４は、回動軸１７によって、自身の軸回りに回転駆動可能に、可動機構６に支持されている他、リール４の周囲には、所定間隔毎にリールタイン１８が配設されている。
【００１５】
回転するリール４によって掻込まれた圃場の作物の穀稈は、左右に往復スライド駆動される刈刃１２によって刈取られ、掻込オーガ１１によってフィーダ７側に掻込まれる。フィーダ７側に導入された作物の穀稈は、フィーダコンベア１３によって走行機体２側まで後方搬送される。ちなみに、可動機構６によってリール４が刈取部３に対して昇降又は前後動されることにより、リール４の前後及び上下の位置調整が行われる。
【００１６】
上記走行機体２の左側半部には、刈取った稲や麦等の穀稈の脱穀処理を行うとともに該脱穀処理された処理物から籾等の穀粒を選別する脱穀部２２が設置され、走行機体２の右側半部には、脱穀部２２からの穀粒を蓄えるグレンタンク２３が配設され、グレンタンク２３の前方には、オペレータが乗込む前記操縦部１４が設置されている。
【００１７】
脱穀部２２は、フィーダコンベア１３からの作物の穀稈が導入される扱室２４と、扱室２４の真下側に形成された選別室２６とを備え、扱室２４内には、前後方向に延びる円柱状の扱胴２７が自身の軸回りに回転自在に軸支され、選別室２６内の上部には、前後動する揺動選別体２８が設置され、選別室２６内の下部前側には、後方斜め上方の選別風を起風する唐箕ファン２９が配置され、選別室２６内の下部の前後方向中途部には、一番ラセン３１と、二番ラセン３２が前後に配置されている。
【００１８】
フィーダ７から脱穀部２２に導入された穀稈は扱室２４内の回転する扱胴２７によって後方搬送されながら脱穀処理され、その処理物は、選別室２６に落下する。選別室２６に落下した処理物は揺動選別体２８によって揺動選別されるとともに、上記選別風によって選別（風選）される。
【００１９】
具体的には、選別風の影響を受けずに前側の一番ラセン３１に落下する一番物と、選別風の影響を若干受けて後側の二番ラセン３２に落下する二番物と、選別風の影響を受けて後方斜め上方に吹上げられる藁屑等の排出物とに選別される。ちなみに、一番物は穀粒としてグレンタンク２３内に搬送され、二番物は選別室２６内に再度導入されて風選され、排出物は走行機体２の後端側から機外に排出される。
【００２０】
該構成の脱穀部２２は、扱室２４の上方が天板３３によってカバーされ、扱室２４の外側側方が側板３４によってカバーされ、選別室２６の前部の外側側方が前カバー３６によってカバーされ、選別室２６の中途部及び後部の外側側方が後カバー３７によってカバーされている。
【００２１】
具体的には、天板３３が、左右内側端部を支点に上下回動するように、脱穀部２２に支持され、側板３４が、上端部を支点に上下回動するように、脱穀部２２に支持されている。天板３３は、上方に回動する開操作によって、扱室２４の上方を開状態とする一方で、下方に回動する閉操作によって、扱室２４の上方を閉状態とする。また、側板３４は、左右外側に回動する開操作によって、扱室２４の外側側方を開状態とする一方で、左右内側に回動する閉操作によって、扱室２４の外側側方を閉状態とする。
【００２２】
グレンタンク２３内の穀粒は、走行機体２の後端部に支持された排出オーガ３８によって機外に排出される。具体的には、全体が上下揺動可能且つ水平回動可能なように排出オーガ３８の基端部が走行機体２の後端部右側に支持され、該排出オーガ３８の先端部には穀粒を排出する排出部３８ａが設けられており、上下揺動又は水平回動によって排出オーガ３８の排出部３８ａを所定位置に移動させ、その場で穀粒を排出させることができる。
【００２３】
次に、図１乃至図３に基づいて、脱穀部２２のメンテナンス手段を説明する。
図３は、脱穀部の上部側をメンテナンスする際の状態を示す汎用コンバインの要部正面図である。上記汎用コンバインでは、天板３３を開いて開放し、扱胴２７等のメンテナンスを脱穀部２２の上方側から行う際、脱穀部２２に登る必要があり、このため、脱穀部２２を登り降りする梯子３９を脱穀部２２の外側側面の前端側に設けるとともに、梯子３９を介した脱穀部２２の登り降り時に把持する手摺４１とを設け、該手摺４１が天板３３を回動させる際に把持する天板開閉用取っ手と兼用されるようにする。以下詳細を説明する。
【００２４】
上記天板３３は、閉状態で、脱穀部２２の上面の中央側に位置し、天板３３の前部が、前方に向かって下降傾斜した前傾斜面（傾斜面）３３ａになり、天板３３の左部が左側方に向かって下降傾斜した左傾斜面３３ｂになり、天板３３の右部が右側方に向かって下降傾斜した右傾斜面３３ｃになる。
【００２５】
上記手摺としても機能する天板開閉用取っ手４１は、丸パイプを正面視逆Ｕ字状に屈曲形成することにより構成され、天板３３の前端部に取付固定されている。具体的には、天板開閉用取っ手４１は、右方向に水平の延びる水平部４２と、水平部４２よりも左寄りに位置して左側方に向かって下降傾斜した左傾斜部４３Ｌと、水平部４２よりも右寄りに位置して右側方に向かって下降傾斜した右傾斜部４３Ｒと、左右の傾斜部４３Ｌ，４３Ｒにおける下部後端側から互いに近づく側に一体的に延設された取付座４４、４４とから構成されている。
【００２６】
そして、左右の取付座４４，４４を天板３３の前傾斜面３３ａに面接触させた状態でボルト固定することにより、天板開閉用取っ手４１を天板３３の前端部に取付けると、該天板開閉用取っ手４１は、側面視前傾斜面３３ａに沿って傾斜するとともに、正面視左右の傾斜部４３Ｌ，４３Ｒが天板３３の左右の傾斜面３３ｂ、３３ｃに沿って傾斜した状態になる他、この天板開閉用取っ手４１が前傾斜面３３ａから１個分前側に突出した状態になる。該構成によって、天板開閉用取っ手４１は、左右に傾斜面３３ｂ、３３ｃを有する天板３３の左右幅中の大きな範囲に設置することが可能になる。
【００２７】
上記梯子３９は、前後に所定間隔を介して並べられた一対の縦フレーム４６，４６と、縦フレーム４６，４６間に架設された前後方向（横方向）の横フレーム４７とから構成され、この横フレーム４７は、上下方向に所定間隔毎に複数並列配置されている。この梯子３９は、脱穀部２２に向かって穀稈を搬送するフィーダ７の外側側方且つ脱穀部２２の前方に形成されたスペースＳに配置され、側面視梯子３９の後端が脱穀部２２の前端側に位置している。そして、この梯子３９は、脱穀部２２の下端高さから、天板開閉用取っ手４１の下端側の高さに至る上下範囲に形成され、ブラケット４８を介して、脱穀部２２の前端側に取付固定されている。
【００２８】
ちなみに、オーガ３８は、未使用時、走行機体２の後端部右側から刈取部３の左側に至る範囲に倒伏した状態で、収納されている。
【００２９】
該構成の汎用コンバインによれば、作業者Ｐは、手摺４１の左傾斜部４３Ｌ又は水平部４２を把持し、梯子３９の横フレーム４７に足を掛けた状態で、脱穀部２２の登り降りを容易に行うことができる他、この登り降り時に、未使用状態のオーガ３８に掴まって、登り降りを行うことも可能である。そして、脱穀部２２の上面において、天板３３の周囲を囲繞するように形成されたステップ２２ａに足を乗せた作業者Ｐは、ロックを解除して、天板３３を開け、脱穀部２２の上方側から扱胴２７等のメンテナンスを効率的に行うことが可能になる。
【符号の説明】
【００３０】
７  フィーダ
２２  脱穀部
３３  天板
３３ａ  前傾斜面（傾斜面）
３９  梯子
４１  天板開閉用取っ手（手摺）
Ｓ  スペース
【図１】
0005840452.tif 000002
【図２】
0005840452.tif 000003
【図３】
0005840452.tif 000004